(57)【要約】【課題】  メイン電源のＯＮ状態表示用の表示ランプと装置機能状態表示用の表示ランプの少なくとも一つを装置本体に備えたプロジェクタ装置において、映像鑑賞の環境に光が入らずに映像鑑賞者にとって十分に暗い場合に前記表示ランプの点灯が映像鑑賞者の視界に入らず、映像を鑑賞する環境が光が入って映像鑑賞者にとって明るくスクリーン上の映像が認め難い場合に映像鑑賞者が前記表示ランプの点灯状態を容易に視認可能とさせる。【解決手段】  それぞれ異なったレベルで明るさを感知する光センサー１４，１５，１６と、表示ランプ７，８のＯＮ／ＯＦＦの切り換えの基準となる前記環境の明るさを予め記憶するメモリ１０と、表示ランプ７，８のＯＮ／ＯＦＦを切り換えるスイッチングトランジスタ１８を備え、ＣＰＵ１１は光センサー１４，１５，１６からの信号とメモリ１０の記憶内容に基づいてスイッチングトランジスタ１８に制御信号を送る構成とした。【選択図】  図２
2008225408.tif 000002
【特許請求の範囲】
【請求項１】
光源からの光を入力させて所望の映像用データに基づいて映像光に生成し、その生成した映像光をスクリーン上に投射するプロジェクタ装置であって、
映像鑑賞の環境の明るさを検出する明るさ検出手段と、装置本体の外壁に配設されて、メイン電源のＯＮ状態を表示する第一の表示ランプ又は／及び装置が機能している状態を表示する第二の表示ランプが備えられ、更に、前記明るさ検出手段からの検出内容に基づいて、前記映像鑑賞の環境の明るさが予め設定した程度の明るさ以下である場合には前記第一の表示ランプ又は／及び第二の表示ランプの出力を停止し、前記予め設定した明るさの程度より明るい場合には前記第一の表示ランプ又は／及び第二の表示ランプを出力するように構成したことを特徴とするプロジェクタ装置。
【請求項２】
装置の機能時において、前記第一の表示ランプ又は／及び前記第二の表示ランプの出力又は出力停止が、前記装置本体に付設され、互いに異なる明るさによってＯＦＦからＯＮに切り換わる複数個の光センサーを備え、設定された明るさに対して前記複数個の光センサーがＯＦＦからＯＮに切り換わることに基づいて制御される構成の請求項１に記載のプロジェクタ装置。
【発明の詳細な説明】
【技術分野】
【０００１】
この発明は、光源からの光を映像用データに基づいて生成させた映像光をスクリーン上に投射して映像を得るプロジェクタ装置に関する。特に、映像鑑賞の環境に自然光や照明光のない場合と映像鑑賞の環境に光がある場合における装置の使い勝手の改良に関する。
【背景技術】
【０００２】
光源からの光を所望の映像用データに基づいて映像光に生成し、その生成された映像光をスクリーン上に投射するプロジェクタ装置は、装置を機能させている際にその旨を示すことによって安全性を確保するための手段として装置本体を形成するケーシングの外壁に機能状態を明確に示す表示ランプが配設されている。
使用者は、その表示ランプを見ることによって、その装置が機能状態であることを知ることが可能になる。
【０００３】
つまり、例えば、スクリーン上に映し出される映像が本来暗いものであって、且つ、そのプロジェクタ装置を使用している部屋（映像鑑賞の環境）が十分に暗い状態でない場合には、スクリーン上に映像が映し出されているか否かの判断、即ち、当該プロジェクタ装置が機能しているか否かの判断が難しい。
斯かる場合では、暗い映像鑑賞の環境において、当該プロジェクタ装置が機能しているか否かを調べることは煩雑であって、明るさのない中での確認作業は危険が伴うこともある。
【０００４】
他方、プロジェクタ装置はメイン電源のスイッチがＯＮとなって機能の状態になっている場合であっても、装置に故障が生じていて結果的に映像光をスクリーンに投射しないことがある。
斯かる場合では、使用者がこの状態は故障であると判らず、装置本体に電力が供給され続けて大きな熱が溜まり、時には火災が生じることになる。
【０００５】
これらの場合に対して、メイン電源のスイッチがＯＮとなっていて装置が機能の状態になっている際に、そのことを示す手段を具備することによって安全性が確保されることになる。
プロジェクタ装置において、この種の安全性を確保するための手段として、以下の文献に開示されている。
【０００６】
【非特許文献１】Ｓｈａｒｐ製ＸＶ Ｚ２１０００の取り扱い説明書
【発明の開示】
【発明が解決しようとする課題】
【０００７】
上記の非特許文献には、装置本体を形成するケーシングに、メイン電源がＯＮである場合に点灯する電源表示と装置が機能状態（ＯＮ状態）にある場合に点灯するランプ表示が配設されたプロジェクタ装置が開示されている。
そして、前記電源表示は、メイン電源のスイッチがＯＮとなると青色に点灯し、待機状態では赤色に点灯する構成になっている。
【０００８】
他方、前記ランプの表示は、通常の機能時では青色で点灯し、映像用ランプの交換が必要な状態になると赤色に点灯して警告する構成になっている。
尚、これらの点灯するランプ（表示ランプ）は、具体的に、発光ダイオード（ＬＥＤ）を含んで構成されたインジゲータである。
【０００９】
上記の非特許文献に開示のプロジェクタ装置は、斯かる構成であることにより、自然光も照明光もない暗い環境下であっても、メイン電源が入力しているか否かの判別、及び、装置が機能しているか否かの判別が容易に行うことができ、使用者は当該プロジェクタの機能状態について間違った判断をすることがなく、結果的に、安全性が確保されている。
他方、プロジェクタ装置はその使用環境に光のない暗い環境下で使用するものであることより、使用者や映像鑑賞者が機能停止中のプロジェクタ装置にぶつかることを避けたり装置の電源コードが邪魔にならないように、装置本体を天井に貼り付け状態で設置したり、天井から垂下の状態で配置する場合が多い。
【００１０】
映像鑑賞者は斯かる状態で配置されたプロジェクタ装置の本体から前方に位置するスクリーン上に映し出される映像を観ることになる。
この時、上記の非特許文献に開示のプロジェクタ装置では、電源表示のインジケータの光とランプ表示のインジケータの光が映像鑑賞者の視界に入り、その映像鑑賞者にとって目障りになることがある。
尤も、インジケータは、使用者等に視認されるために備えられている。
【００１１】
又、電源表示のインジケータの光とランプ表示のインジケータの光は、プロジェクタ装置本体を天井の側に取り付け固定している金属製の取り付け具やその映像環境に置かれている金属等に映って反射するなどして結果的に映像鑑賞者の視界に入るといったように、その映像鑑賞者にとって意外と視界にはいることが多く、問題は深刻であった。
斯かる問題を解決するものとして、装置の機能に係る詳細設定用のメニュ−に前記電源表示のインジケータの点灯と前記ランプ表示のインジケータの点灯を任意に点灯／消灯の切換えが可能な手段の付加が考えられる。
【００１２】
しかし、斯かる構成の点灯／消灯の任意切換えの手段を付加したプロジェクタ装置であっても、当該プロジェクタ装置を機能させた際にその映像光が減光されて映像が暗かったり、自然光が入り込んだり或いは少ないながらも照明光があって十分に明るくない環境下での使用の場合には、スクリーン上の映像の明るさと当該プロジェクタ装置の使用環境の明るさが近似していると、プロジェクタ装置が機能しているか否かの判断を映像から知ることが出来ないという問題が生じ、途中から故障が生じている場合には危険の回避が難しいということになる。
【００１３】
つまり、映像を鑑賞する環境が、自然光や照明光が入らず暗ければ暗いほど、メイン電源のＯＮ表示ランプや装置の機能状態の表示ランプがより一層コントラストを有して映像鑑賞者の視界に入ることになり、結果的に、より一層目障りとなる。
他方、この映像鑑賞者にとって表示ランプの目障りさを軽減するために、表示ランプの光量を低く抑えることが考えられる。
【００１４】
しかし、斯かる場合では、映像を鑑賞する環境が、自然光や照明光が入って明るければ明るいほど、メイン電源のＯＮの表示ランプや装置の機能状態の表示ランプの光量を落とすと、映像鑑賞の環境に対してより一層コントラストを失うことになる。
よって、メイン電源のＯＮの表示ランプや装置の機能状態の表示ランプが点灯しても、映像鑑賞者にとってその点灯を視認し難いことになり、結果的に、より表示ランプの機能自体の意味が薄れることになる。
【００１５】
又、プロジェクタ装置の中には、映像にミュ−トを掛けた際に、この映像ミュ−トを解除しないと装置のメイン電源をＯＦＦにすることのできないタイプが知られている。
処が、斯かるタイプのプロジェクタ装置の使用において、使用者が映像の出力にミュートが掛かっていることに気付かずに映像の出力がＯＦＦになっていると誤解してミュ−トを解除せず且つメイン電源をＯＦＦする操作を省いて、ＡＣ電源の供給を止めてしまう場合がある。
【００１６】
斯かる場合では、ＡＣ電源の供給が停止されることによって、そのプロジェクタ装置に内蔵されて装置全体を冷却する手段、例えば、ファンモータの出力が停止し、結果的に、冷却を必要とするＤＭＤ（Ｄｉｇｉｔａｌ Ｍｉｃｒｏ Ｍｉｌｌｏｒ Ｄｖｉｃｅ）、発光ランプ、制御手段といった部品や手段が冷却されず、それらの寿命を縮めることになるという問題があった。
殊に、ＤＭＤと発光ランプはデリケートな取り扱いが強く要求され、プロジェクタ装置そのものの機能を決定することから、問題はより深刻であった。
【００１７】
この発明は、上記の問題点に鑑みてなされたものであって、装置本体にメイン電源のＯＮ状態を表示する第一の表示ランプ又は／及び装置が機能している状態を表示する第二の表示ランプが備えられ、映像を鑑賞する環境が自然光や照明光が入らずに映像鑑賞者にとって十分に暗い場合には前記第一の表示ランプ又は／及び第二の表示ランプの点灯状態が映像鑑賞者の視界に入って目障りになることを回避でき、映像を鑑賞する環境が自然光や照明光が入って映像鑑賞者にとって明るくスクリーン上の映像が認め難い場合には映像鑑賞者が前記第一の表示ランプ又は／及び前記第二の表示ランプの点灯状態を容易に視認可能なプロジェクタ装置を提供するものである。
【課題を解決するための手段】
【００１８】
この発明は、映像を鑑賞する環境の明るさと予め設定した明るさの比較に基づいて、表示ランプの出力と出力停止を切り換える構成にしたプロジェクタ装置である。
その詳細な構成は、光源からの光を入力させて所望の映像用データに基づいて映像光に生成し、その生成した映像光をスクリーン上に投射するプロジェクタ装置であって、
映像鑑賞の環境の明るさを検出する明るさ検出手段と、装置本体の外壁に配設されて、メイン電源のＯＮ状態を表示する第一の表示ランプ又は／及び装置が機能している状態を表示する第二の表示ランプが備えられ、更に、前記明るさ検出手段からの検出内容に基づいて、前記映像鑑賞の環境の明るさが予め設定した程度の明るさ以下である場合には前記第一の表示ランプ又は／及び第二の表示ランプの出力を停止し、前記予め設定した明るさの程度より明るい場合には前記第一の表示ランプ又は／及び第二の表示ランプを出力するように構成したことを特徴とするプロジェクタ装置である。
【００１９】
ここで、表示ランプの出力と出力停止の切り換えは、具体的に、互いに異なる明るさ（光の量）に対応してＯＦＦからＯＮに切り換わる複数個の光センサーを備え、使用者が設定した明るさに前記複数個の光センサーがＯＦＦからＯＮに切り換わることに基づいて制御する構成が挙げられる。
従って、使用者が設定したいと所望する明るさに対応してＯＦＦからＯＮに切り換わる光センサーを備えるとよい。
【発明の効果】
【００２０】
この発明は、映像鑑賞の明るさ環境が予め設定した明るさより明るいか否かに基づいて装置本体に備えた表示ランプを点灯するように構成したことにより、使用者は、表示ランプの点灯又はスクリーン上の視認できる映像のいずれかによって、装置が機能状態であることを知ることが可能で使用上の安全性が得られ、且つ、映像鑑賞の明るさ環境が予め設定した明るさより暗い場合には映像の鑑賞者に目障りとなる表示ランプの点灯が視界に現れないプロジェクタ装置である。
又、映像ミュ−ト時又は無信号時の映像光が減光されている状態においては、メイン電源がＯＮであることの表示の表示ランプと装置が機能状態であることの表示の表示ランプが点灯されるので、使用者に装置が作動中であることを知らせることになり、誤ってメイン電源をＯＦＦにして必要な冷却を停止させるといった虞が生じないという効果も奏している。
【発明を実施するための最良の形態】
【００２１】
この発明を、以下において図面と共に、実施の最良の形態に基づき説明する。しかし、以下の実施の最良の形態は一例であって、この発明はこれに限定されるものではない。
プロジェクタ装置１は、上側ケーシング２及び下側ケーシング３と、映像光生成手段４と、データ入力端５と、明るさ検出手段６と、表示ランプ７，８と、リモートコントロール器９が備えられている。
【００２２】
上側ケーシング２と下側ケーシング３によって装置本体が構成されている。上側ケーシング２と下側ケーシング３は一体化すると内部に遮光性の収納室（図示省略）を形成し、その収納室に映像光生成手段４が収納されている。
上側ケーシング２は、天面の中央前部から後方に向かって進む形状の隆起部分が形成されており、この隆起部分及びその近傍に、この装置を制御するためのスイッチ類が配設されている。
映像光生成手段４は、発光ランプと、分光器と、ＤＭＤ（Digital Micro Millor Divice）と、カラーホイールと、冷却手段と、温度センサー（以上、図示省略）と、データ入力端５と、メモリ１０と、ＣＰＵ１１と、レンズユニット１２を備えて構成されている。
【００２３】
映像光生成手段４は、データ入力端５からの映像用データに基づいて、前記発光ランプからの光が、前記分光器、前記ＤＭＤ、前記カラーホイールを介することによってデータ入力端５の入力に対応した映像光に生成し、その映像光をレンズユニット１２からスクリーン（図示省略）に向けて投射するものである。
尚、レンズユニット１２は、その先端部がケーシング２，３の前部に形成した開口部１３から突出の位置で配設されている。
【００２４】
前記温度センサーは、ケーシング２，３によって形成される装置本体の内部の温度を検出するものである。
前記冷却手段は、冷却ファンモータ（図示省略）が備えられ、前記温度センサーの検出温度に基づいて映像光生成手段４、特に、前記ＤＭＤが過熱にならないように冷却の機能を行うものである。
【００２５】
明るさ検出手段６は、図２に示すように、ＣＰＵ１１と、光センサー１４，１５，１６を備えて構成されている。
光センサー１４，１５，１６は、当該装置が使用される環境、つまり、映像鑑賞の環境の明るさを検出するものであって、具体的にはフォトトランジスタである。
光センサー１４，１５，１６は、上側ケーシング２の外壁に埋め込まれた状態で配設されていて、レンズユニット１２から投影された映像光はスクリーン上で反射するが、その反射光に感知しない配設の状態になっている。
【００２６】
光センサー１４，１５，１６は、映像鑑賞の環境から受け取るそれぞれ異なる光の量に基づいてＯＦＦからＯＮに切り換わって通電状態となり、この導通状態によって各光センサーの感光能力に対応する受光の検出を示す信号をＣＰＵ１１に送るものである。
つまり、具体的には、光センサー１４は、装置が配置された映像鑑賞の環境に自然光も照明光も殆ど入らず、スクリーン上への映像光への他からの影響は殆どないのだが、映像に敏感な映像鑑賞者にとっては矢張り気になる程度の光が当該映像鑑賞空間にあって、その光に対して光電効果を奏してＯＦＦからＯＮに切り換わって信号を生成し、ＣＰＵ１１にその信号を送るものである。
【００２７】
光センサー１５は、映像鑑賞を行う空間においてプロジェクタ装置１に映像用データを出力するＤＶＤプレイヤーのディスク（記録媒体）が読み取れる程度に照明光又は自然光があった際に、その明るさ環境（光の量）に対応して光電効果を奏してＯＦＦからＯＮに切り換わって信号を生成し、ＣＰＵ１１にその信号を送るものである。
つまり、光センサー１５は、具体的に、１５Ｗ程度の電気スタンドが点灯された際にこの電気スタンドから約２．５メートル程度離れた位置で前記電気スタンドからの光を感知してＣＰＵ１１に信号を送るものである。
【００２８】
光センサー１６は、映像鑑賞を行う空間において、映像鑑賞者がスクリーン上の映像を観ながらメモを取ることが出来る程度に照明光又は自然光があった際に、その明るさ環境（光）に対応して光電効果を奏してＯＦＦからＯＮに切り換わって信号を生成し、ＣＰＵ１１にその信号を送るものである。
従って、光センサー１４，１５，１６は、この順序で明るさに対して高い感光能力を有している。
【００２９】
表示ランプ７は、プロジェクタ装置１のメイン電源がＯＮである際に点灯するものであって、上側ケーシング２の外壁に付設されている。
表示ランプ７は、光センサー１６が光電効果を奏してＯＦＦからＯＮに切り換わって信号を生成するほどに映像鑑賞の環境が明るい状態であっても、使用者がその点灯を認め得るほどの輝度を持つものである。
【００３０】
表示ランプ８は、装置が機能している状態の際に点灯するものであって、上側ケーシング２の外壁に付設されている。
表示ランプ８は、光センサー１６が光電効果を奏してＯＦＦからＯＮに切り換わって信号を生成するほどに映像鑑賞の環境が明るい状態であっても、使用者がその点灯を認め得るほどの輝度を持つものである。
【００３１】
プロジェクタ装置１は、更に、明るさ検出手段６からの検出内容に基づいて、当該映像鑑賞の環境の明るさが予め設定した程度に暗い場合には表示ランプ７又は／及び表示ランプ８の出力（点灯）を停止し、明るい場合には表示ランプ７又は／及び表示ランプ８を出力するように切り換えを行うスイッチング手段１７が備えられている。
スイッチング手段１７は、メモリ１０と、ＣＰＵ１１と、スイッチングトランジスタ１８を備えて構成されている。
【００３２】
メモリ１０は、映像光生成手段４が機能する際にも必要なデータをＣＰＵ１１に供給するが、スイッチング手段１７では使用者が設定する表示ランプ７又は／及び表示ランプ８の出力／出力停止の切り換えの明るさ、つまり、具体的には、光センサー１４，１５，１６のうちのどれがＯＦＦからＯＮに切り換わった際に表示ランプ７又は／及び表示ランプ８を出力させるか？、を使用者がＣＰＵ１１を介して設定すると、その設定内容を記憶するものである。
明るさ検出手段６におけるＣＰＵ１１は、使用者の操作信号（操作内容）をメモリ１０に伝え、且つ、光センサー１４，１５，１６からの信号とメモリ１０に記憶されている使用者が予め設定した表示ランプ７又は／及び表示ランプ８の出力基準を比較し、出力させる際にはスイッチング手段１７のスイッチングトランジスタ１８に出力のための制御信号を送るものである。
【００３３】
プロジェクタ装置１は、上述したように構成されている。以下において、その機能を説明する。
使用者は、プロジェクタ装置１に、映像信号の出力源であるＤＶＤプレーヤ装置（図示省略）からのデータ出力ラインをデータ入力端５に接続する。
【００３４】
前記ＤＶＤプレーヤ装置は、円盤状の記録媒体から映像データを再生してプロジェクタ装置１に送るものであるが、使用者は所望によって再生すべき記録媒体の選択と再生中の記録媒体の交換を行うことが可能な構成である。
使用者は、映像鑑賞の途中において前記ＤＶＤプレーヤ装置で再生すべき記録媒体のＤＶＤを交換することもあると考え、記録媒体を交換する際には映像鑑賞の環境に記録媒体のタイトル等を読むための僅かな照明光を灯し、この照明光によって装置のメイン電源がＯＮになっていることを確認すると共に、装置が機能していることを確認したいということから、光センサー１５が感光してＯＦＦからＯＮに切り換わり、結果的に、表示ランプ７及び表示ランプ８の出力つまり点灯が行われるように、ＣＰＵ１１に対して操作信号を送る。
【００３５】
この時、プロジェクタ装置１は、メイン電源がＯＮになっており、又、機能状態であり、且つ、スタート時であることから、表示ランプ７，８は点灯している。  
使用者は、映像鑑賞者が着席した時点で、映像鑑賞用の部屋の電灯をＯＦＦにしてリモコン９を操作してプロジェクタ装置１から映像光を投射するように機能させる。
【００３６】
ここで、この映像鑑賞の部屋の電灯をＯＦＦにすることによってその環境は光（明るさ）のない暗い状態になるので、明るさ検出手段６において、光センサー１４，１５，１６はいずれもこの光のない環境では感光することがないので感光の旨の信号をＣＰＵ１１に送ることはなく、ＣＰＵ１１はメモリ１０に予め設定した明るさと比較して明るさより少ない状態であることから、スイッチング手段１７に表示ランプ７，８を消灯させる制御信号を送る。
よって、スイッチング手段１７は、表示ランプ７，８にＯＮからＯＦＦに切り換える制御を行うので、表示ランプ７，８は点灯状態から消灯状態に切り換わる。
【００３７】
ここで、映像鑑賞者は、プロジェクタ装置１から投影された映像光による前記スクリーン上の映像を鑑賞することになるが、表示ランプ７，８が消灯の状態なのでスクリーン上の映像にとって目障りとなることはない。
他方、前記スクリーン上に映像が映し出されていることから、使用者はプロジェクタ装置１のメイン電源がＯＮ状態で、プロジェクタ装置１が機能状態であること知る。
【００３８】
その後、使用者は、前記ＤＶＤプレーヤ装置で再生している現行の記録媒体から別の記録媒体に交換しようとする。
そこで、プロジェクタ装置１から２．５メートル程度離れた位置に配置された前記ＤＶＤプレーヤ装置に対して約１５Ｗの電気スタンドを点灯して、記録媒体を確認しながら別の記録媒体に入れ替えを行う。
【００３９】
ここで、明るさ検出手段６において、光センサー１４及び１５は、前記電気スタンドからの点灯光を受けて感光作用つまり光電効果の作用を生じる。
光センサー１４は、前記電気スタンドからの点灯光を受けて光電効果の作用によってＯＦＦからＯＮに切り換わり、その旨の信号をＣＰＵ１１に送る。
しかしながら、ＣＰＵ１１は、光センサー１４からの信号に対応する明るさの程度はメモリ１０に予め設定された明るさより低いので、スイッチング手段１７に制御信号を送ることはない。
【００４０】
同様に、光センサー１５も、前記電気スタンドからの点灯光を受けて光電効果の作用を行ってＯＦＦからＯＮに切り換わって、その旨の信号をＣＰＵ１１に送る。
ここで、ＣＰＵ１１は、光センサー１５からの信号に対応する明るさの程度はメモリ１０に予め設定された明るさと同じ程度又はそれ以上と判断して、スイッチング手段１７に制御信号を送る。
【００４１】
スイッチング手段１７は、明るさ検出手段６からの制御信号を受けると、スイッチングトランジスタ１８がＯＦＦからＯＮに切り換わり、表示ランプ７及び表示ランプ８を出力させる。
ここで、表示ランプ７及び表示ランプ８は点灯するので、使用者はその点灯状態からプロジェクタ装置１のメイン電源がＯＮなっていることとプロジェクタ装置１が現時点で機能状態であることを知ることができ、装置の安全性を確認できる状態が得られる。
【００４２】
使用者が前記ＤＶＤプレーヤ装置に所望した記録媒体に入れ替えた後、前記電気スタンドを消灯してプロジェクタ装置１からの映像光の投影を再開すると、その映像観賞用の環境は以前と同様に暗くなって光が極めて少ないことから、明るさ検出手段６の光センサー１４，１５は光電効果の作用を停止してＣＰＵ１１への光を受けている旨、つまり、光センサー１４，１５がそれぞれ明るいと感知している旨の信号の出力を停止する。
ここで、ＣＰＵ１１は、光センサー１４，１５からの信号が停止したことに基づいて、スイッチング手段１７に出力停止への切り換えの制御信号を送る。
【００４３】
スイッチング手段１７は、ＣＰＵ１１からの制御信号を受けて、表示ランプ７，８の出力の停止つまり点灯状態から消灯状態に切り換わる。
ここで、映像鑑賞者は、表示ランプ７，８やその反射光が視界に入って目障りな思いをするといった事態は生じない。
【００４４】
その後、プロジェクタ装置１は機能を続けて、前記ＤＶＤプレーヤ装置からの映像データに対応した映像光を生成して前記スクリーンに投影し続ける。
ここで、前記スクリーン上の映像を観ていた者が、投影されている映像についてメモを取りたいということになり、前記ＤＶＤプレーヤ装置による記録媒体の再生を一時停止して、前記スクリーンから最も遠い位置にあるカーテンを徐々に少しずつ開けてメモがその映像鑑賞の部屋でメモが取れるほどの自然光を取り入れることを行った。
【００４５】
前記カーテンを徐々に少しずつ開けている際に、明るさ検出手段６において最初、光センサー１４は光を感知してＯＦＦからＯＮに切り換わってその旨の信号をＣＰＵ１１に送る。
しかし、ＣＰＵ１１は光センサー１４からの感光した旨の信号を受けても、メモリ１０に記憶の表示ランプ７，８を点灯させるまでの明るさまでに到っていないということで、ＣＰＵ１１はスイッチング手段１７に制御信号を送ることはない。
【００４６】
使用者が前記カーテンを更に開けて前記映像鑑賞の環境全体が更に明るくなって、前述した前記プロジェクタ装置１から２．５メートル程度の位置で約１５Ｗの電気スタンドを点灯させたとほぼ同じ明るさに到ると、光センサー１５は光を感知してＯＦＦからＯＮに切り換わってその旨の信号をＣＰＵ１１に送る。
ここで、ＣＰＵ１１は、光センサー１５からの信号に対応する明るさの程度がメモリ１０に予め設定された明るさと同じ程度又はそれ以上と判断して、スイッチング手段１７に制御信号を送る。
【００４７】
スイッチング手段１７は、明るさ検出手段６からの前記制御信号を受けて、スイッチングトランジスタ１８がＯＦＦからＯＮに切り換わり、結果的に、表示ランプ７及び表示ランプ８を出力させる。
ここで、表示ランプ７及び表示ランプ８は点灯し、使用者はその点灯状態からプロジェクタ装置１のメイン電源がＯＮなっていることとプロジェクタ装置１が現時点で機能状態であることが示される。
【００４８】
使用者が前記カーテンを更に開けて前記映像鑑賞の環境全体が更に明るくなって、前記環境においてメモを取ることが出来るほどに明るい状態になった際、光センサー１６は光を感知してＯＦＦからＯＮに切り換わってその旨の信号をＣＰＵ１１に送る。
ここで、ＣＰＵ１１は、光センサー１６からの信号を受け取っても、光センサー１５からの信号に基づいて既にスイッチング手段１７に出力するように切り換えるための制御信号を送っているので、スイッチング手段１７に更に制御信号を送ることはない。
【００４９】
プロジェクタ装置１は、上記のメモが取れる程度の明るさ環境の中で、投影光を生成して前記スクリーン上に投影すると共に、表示ランプ７及び表示ランプ８を点灯し続ける。
前記ＤＶＤプレーヤ装置が記録媒体の再生を終了し、その旨の信号をプロジェクタ装置１に送ると、プロジェクタ装置１は映像データの入力が終了したということで、予め設定した一定時間の後に映像光の出力を停止する。
【００５０】
使用者は、この一定時間の間に、カーテンを開けたり照明を点けることによってその映像鑑賞の部屋に十分な光を取り入れる。
ここで、映像鑑賞者は、その映像鑑賞の部屋が十分な光を取り入れて明るい状態になっているので、所望の行動を取ることが可能になる。
【００５１】
しかし、プロジェクタ装置１は機能を続けて来ているので映像光生成手段４が熱を持った状態であって、特に、前記ＤＭＤは冷却を続ける必要があることから、ＣＰＵ１１は、前記冷却手段に作動を続けて映像光生成手段４の冷却を続けるように制御する。
この時、プロジェクタ装置１は映像光を投影していないが、前記冷却手段の前記冷却ファンモータが出力（機能）していて、装置としては機能状態である。
【００５２】
このことに対して、この時点での前記映像鑑賞の部屋は明るい状態であることから明るさ検出手段６がスイッチング手段１７にＯＮとなる制御を行い続けているので、表示ランプ７及び表示ランプ８は点灯を続けている。
表示ランプ７が点灯していることからメイン電源がＯＮの状態であり、又、表示ランプ８が点灯していることからプロジェクタ装置１が現時点で機能状態であることが示されている。
【００５３】
従って、表示ランプ７及び表示ランプ８が点灯していることから、プロジェクタ装置１から映像光が投影されていないのでプロジェクタ装置１の機能がＯＦＦ状態であろうと勘違いして電源プラグを抜き、結果的に、映像光生成手段４の冷却が不十分であって劣化を促進させるという事態を避けることが可能になっている。
使用者は、前記冷却手段が停止することでプロジェクタ装置１の機能が停止状態になって表示ランプ８が点灯状態から消灯状態に切り換わると、映像光生成手段４の冷却が終了したと判断し、プロジェクタ装置１のメイン電源をＯＦＦにするタイミングを知ることが出来る。
【００５４】
上述したプロジェクタ装置１の表示ランプ７及び表示ランプ８の点灯／消灯の切り換えは、光センサー１５の感光か否かで決まるようにメモリ１０に予め設定しているが、光センサー１４又は光センサー１６の感光か否かで決まるように設定してもよい。
又、プロジェクタ装置１は、明るさ検出手段６が３個の光センサー１４，１５，１６を備えて構成されているが、単体で光の量を検出する光量センサーを備えた構成であってもよい。
【００５５】
プロジェクタ装置１は、スイッチング手段１７へ制御信号の出力させる明るさのメモリ１０への設定はリモートコントロール器９を介して行う構成であってもよい。
斯かる場合においては、プロジェクタ装置１の出力中であっても、リモートコントロール器９を介することによって、スイッチング手段１７へ制御信号の出力させる明るさのメモリ１０への設定を変更することが可能になる。
【００５６】
プロジェクタ装置１では、ケーシング２に、メイン電源がＯＮ状態であることを示す表示ランプ７と機能状態であることを示す表示ランプ８が備えられているが、それら二つの状態を一つの表示ランプで表す構成であってもよい。
或いは、映像鑑賞上、鑑賞者の目障りになることを可能な限り避けるように、所望により表示ランプ７と表示ランプ８のいずれかのみをケーシング２に備えた構成であっても、明るさ検出手段６、スイッチング手段１７等は上述した機能を奏し、結果的に、メモリ１１に予め設定した明るさに基づいて当該単一の表示ランプが点灯／消灯を行う。
【図面の簡単な説明】
【００５７】
【図１】この発明の実施の形態の外観を示す前方上部から視た斜視図である。
【図２】図１に示す実施の形態に係る明るさ検出手段とスイッチング手段の構成を説明する回路図である。
【符号の説明】
【００５８】
１                      ：  プロジェクタ装置
２，３                  ：  ケ−シング
４                      ：  映像光生成手段
６                      ：  明るさ検出手段
７，８                  ：  表示ランプ
１０                    ：  メモリ
１１                    ：  ＣＰＵ
１２   ：  電源制御部
１４，１５，１６        ：  光センサー
１７                    ：  スイッチング手段
１８                    ：  スイッチングトランジスタ
【図１】
2008225408.tif 000003
【図２】
2008225408.tif 000004